(57)【特許請求の範囲】
【請求項１】
切り欠き部が形成された環状のアダプター本体と、
前記切り欠き部を形成する前記アダプター本体の２つの端部のうちの一方の端部とネジ結合され、かつ、前記２つの端部のうちの他方の端部に設けられた穴部に挿入される操作つまみと、
前記アダプター本体の内径側に固定された係合部材と、を有する光学アクセサリー用のアダプターにおいて、
前記アダプター本体には、前記係合部材を、前記アダプター本体の外側から前記操作つまみで押圧可能に開口部が形成され、
前記操作つまみの操作により、前記開口部を通して前記操作つまみに接触された前記係合部材を、前記アダプター本体の外側から前記操作つまみで押圧することにより、前記係合部材を前記アダプター本体の内側へ突出可能であると共に、前記切り欠き部の間隔を狭くすることにより、前記アダプター本体を前記内側へ弾性変形可能であることを特徴とするアダプター。
【請求項２】
前記切り欠き部は、前記操作つまみがネジ結合されたタップ部と、前記操作つまみが挿入された穴部と、前記タップ部と前記穴部の間にあり、前記アダプター本体の前記内側への弾性変形を制限する、前記操作つまみが挿入されたスペーサと、を有していることを特徴とする請求項１に記載のアダプター。
【請求項３】
光学アクセサリーと一体的に構成されていることを特徴とする請求項１又は２に記載のアダプター。
【発明の詳細な説明】
【技術分野】
【０００１】
本発明は、光学アクセサリーを撮影レンズの先端に取り付けるために用いられるアダプターに関するものである。
【背景技術】
【０００２】
特許文献１には、光学アクセサリーを撮影レンズの先端に取り付けるためのアダプターが開示されている。特許文献１では、固定用ネジ部材の締め付けと同時に、アダプターの一部が撮影レンズ鏡筒の溝に係合する構造にして、固定用ネジ部材が意図せずに緩んだ場合でもアダプターが脱落しない構造が提案されている。
【先行技術文献】
【特許文献】
【０００３】
【特許文献１】特開２００４−２７１８９２号公報
【発明の概要】
【発明が解決しようとする課題】
【０００４】
しかしながら、特許文献１で開示されたアダプターは、構造が複雑であるために安価に提供することが困難であった。
本発明は、簡便な構造でありながら、撮影レンズからの脱落を防止する機構を備えた光学アクセサリー用のアダプターを提供することを目的とする。
【課題を解決するための手段】
【０００５】
本発明の例示的なアダプターは、切り欠き部が形成された環状のアダプター本体と、前記切り欠き部を形成する前記アダプター本体の２つの端部のうちの一方の端部とネジ結合され、かつ、前記２つの端部のうちの他方の端部に設けられた穴部に挿入される操作つまみと、前記アダプター本体の内径側に固定された係合部材と、を有する光学アクセサリー用のアダプターにおいて、前記アダプター本体には、前記係合部材を、前記アダプター本体の外側から前記操作つまみで押圧可能に開口部が形成され、前記操作つまみの操作により、前記開口部を通して前記操作つまみに接触された前記係合部材を、前記アダプター本体の外側から前記操作つまみで押圧することにより、前記係合部材を前記アダプター本体の内側へ突出可能であると共に、前記切り欠き部の間隔を狭くすることにより、前記アダプター本体を前記内側へ弾性変形可能であることを特徴としている。
【発明の効果】
【０００６】
本発明の光学アクセサリー用のアダプターによれば、撮影レンズからの脱落を防止する機構を簡便な構造で実現できる。
【図面の簡単な説明】
【０００７】
【図１】光学アクセサリー用アダプターの構造図である。
【図２】光学アクセサリー用アダプターの断面図である。
【図３】撮影レンズに固定前の光学アクセサリー用アダプターの係止部の断面図である。
【図４】撮影レンズに固定後の光学アクセサリー用アダプターの係止部の断面図である。
【発明を実施するための形態】
【０００８】
以下に本発明の実施の形態を図面に基づいて詳細に説明する。図１は、本実施例の光学アクセサリー用のアダプターの構造図であり、図２はその一部の断面の構成を示す断面図である。
本実施例の光学アクセサリー用のアダプターは、ワイドコンバーターやテレコンバーター等の光学アクセサリーを撮影レンズの先端に取り付けるために用いられるアダプターである。本実施例のアダプターを撮影レンズの外装面の先端に装着し、更に光学アクセサリーをこのアダプターに装着することで、撮影レンズに各種光学アクセサリーの装着が可能になる。すなわち、本実施例のアダプターは、撮影レンズと光学アクセサリーとを結合する役割を果たしている。
【０００９】
図１と図２を用いてアダプターの具体的な構成について説明する。図１及び図２において、１は環状のアダプター本体で、アダプター本体１の端部には、不図示の光学アクセサリーの端部に設けた雄ネジと係合する雌ネジ部１ａが設けられている。光学アクセサリーをアダプター本体１の雌ネジ部１ａへねじ込むことで、アダプター本体１と光学アクセサリーとが結合できる。
【００１０】
次にアダプター本体１と撮影レンズの固定に関する構成について説明する。アダプター本体１の内径部には、図２に示す撮影レンズ１１の先端の外装面１１ａと係合する係合面１ｂを有する。またアダプター本体１は切り欠き部１ｃを持つ。アダプター本体１の切り欠き部１ｃの両側の面には、タップ部１ｄと穴部１ｅを設け、操作つまみ２をタップ部１ｄと穴部１ｅに挿入している。操作つまみ２に設けたネジ部２ａはアダプター本体１のタップ部１ｄとネジ結合している。また操作つまみ２はアクセサリー本体１の穴部１ｅを貫通すると同時に、操作つまみ２のスラスト面２ｂは穴部１ｅの端面１ｆと当接している。
【００１１】
切り欠き部１ｃの周辺には、図２に示すように円周方向にスリット１ｇを設けている。このスリット１ｇは図１に示すように、切り欠き部１ｃを略中心として約１８０°の範囲で設けられている。アダプター本体１に切り欠き部１ｃとスリット１ｇを設けることで、切り欠き部１ｃの両側に相当するアダプター本体１の１ｈ及び１ｊの周辺部は、径方向に容易に弾性変形可能となっている。この様な構成において操作つまみ２を締め込むと、アダプター本体１の切り欠き部１ｃの間隔が狭くなると同時に、アダプター本体１の内径部の係合面１ｂは、内側に弾性変形して撮影レンズ１１の外装面１１ａを狭持する。この結果、アダプター本体１と撮影レンズ１１は一体的に固定される。逆に操作つまみ２を緩めると、アダプター本体１の係合面１ｂは元の形状に復元するため、アダプター本体１と撮影レンズ１１の固定は解除される。
【００１２】
本実施例においては、アダプター１の切り欠き部１ｃにはスペーサ３が設けられている。これはアダプター本体１を撮影レンズに挿入しない状態で操作つまみ２を過度に締め込み続けた時に、アダプター本体１が塑性変形することを防ぐためである。また操作つまみ２の先端にはビス６を固定し、操作つまみ２を過度に緩めた時に、操作つまみがアダプター本体１から抜け落ちることを防止している。本実施例においては、操作つまみ２を片手で迅速にかつ簡単に操作することで、アダプター本体１の撮影レンズ１１からの着脱を自在に行うことができる。
【００１３】
次にアダプター本体１の撮影レンズ１１からの脱落を抑制するための構造について説明する。本実施例では撮影レンズ１１の使用中に操作つまみ２が意図せずに緩むことがあっても、アダプター本体１が撮影レンズ１１から抜け落ちることのない構造にしている。この構造により、撮影レンズ１１を下に向けて撮影している時に操作つまみ２が緩んだとしても、落下による光学アクセサリーの破損が防止できる。
【００１４】
４はアダプター本体１の内径側に固定された係合部材である。係合部材４は、図１に示すように円弧状をした単純な形状である。係合部材４の端部のみがビス５でアダプター本体１に固定されている。またアダプター本体１には、アダプター本体１の外側と内側をつなぐ開口部１ｋを設けている。操作つまみ２をねじ込むと、操作つまみ２の一部２ｃがアダプター１の外側から開口部１ｋを貫通して、係合部材４に接触しながら係合部材４を内側へ押圧する。この結果、係合部材４はビス５を支点として弾性変形して内側に突出することになる。
【００１５】
図３及び図４は、アダプター本体１と撮影レンズ１１の係合状態を示した断面図である。図３は操作つまみ２を緩めた状態であり、図４は操作つまみ２を締め付けた状態である。図３において、アダプター本体１の内径面１ｂは撮影レンズ１１の外装面１１ａと係合状態にあるが、係合部材４は撮影レンズ１１の外装面１１ａよりも僅かに外側に配置されている。このため、アダプター１をレンズ１１に装着する時には、途中で引っかかることなくスムーズに装着できる。図４においては、アダプター本体１は撮影レンズ１１の外装面１１ａを狭持していると同時に、係合部材４が内側に弾性変形し、撮影レンズ１１に設けた溝部１１ｂに係合している。図４の状態では、係合部材４が撮影レンズ１１の外装面１１ａよりも内側にあるため、操作つまみ２が多少緩んだ場合でも、アダプター本体１は撮影レンズ１１から抜け落ちることはない。すなわち、操作つまみ２が意図せずに緩んだ場合においても、アダプター本体１ごと光学アクセサリーが脱落して損傷することを防ぐことができる。更に操作つまみ２を緩めると、弾性変形した係止部材４が元の位置に復元するため、図４の状態から図３の状態へと変わり、アダプター本体１を撮影レンズ１１からスムーズに取り外すことも可能である。
【００１６】
本実施例におけるアダプターは、アダプター本体１と操作つまみ２と係合部材４の３つの部品で基本的に構成され、いずれの部品も単純な形状である。この３つの基本部品の構成により、片手で撮影レンズへの着脱できる優れた操作性を持ち、さらに低コストでありながら固定用操作つまみの緩みによって生じるアダプター本体１の脱落を防止することができる。
【００１７】
本実施例では、撮影レンズの外装面の先端にアダプターを装着し、さらに光学アクセサリーをこのアダプターに装着することで、撮影レンズに光学アクセサリーを固定している。しかい、光学アクセサリーと本実施例のアダプター本体１を一体的に構成することも可能である。但し、本実施例のように光学アクセサリーとアダプターとを２つに分割して構成することにより、１つのアダプターに対して複数の光学アクセサリーを随時装着する運用方法が可能なため、複数の光学アクセサリーを安価で揃えることが可能となる利点がある。
【符号の説明】
【００１８】
１  アダプター本体
２  操作つまみ
４  係合部材
１１  撮影レンズ
【図１】
0005761957.tif 000002
【図２】
0005761957.tif 000003
【図３】
0005761957.tif 000004
【図４】
0005761957.tif 000005